(57)【要約】【課題】複数個の発光素子全体で形成された光源の形状を変更できるようにする。【解決手段】光源保持部材１には、発光素子としての発光ダイオードのチップをケース３内にモールドして成る光源ユニットＡ１〜Ａ８を複数個列設する形で装着することができる。光源保持部材１は、各光源ユニットＡ１〜Ａ８をそれぞれ着脱可能とするように光源ユニットＡ１〜Ａ８のケース３と嵌合する形状に形成され、かつ複数個の光源ユニットＡ１〜Ａ８からなる列を湾曲させるように変形可能な材料から形成されている。【選択図】図１
2007048665.tif 000002
【特許請求の範囲】
【請求項１】
発光素子をケースに設けて成る光源ユニットを複数個列設する形で装着可能な光源保持部材であって、各光源ユニットをそれぞれ着脱可能とするように光源ユニットのケースと嵌合する形状に形成され、かつ複数個の光源ユニットからなる列を湾曲させるように変形可能な材料から形成されていることを特徴とする光源保持部材。
【請求項２】
前記光源ユニットの配列方向に延長された底板と、底板の幅方向の両端部から互いに対向する形で立設され互いの間に前記光源ユニットの前記ケースを挟持する一対の側板と、両側板において互いに対向する面にそれぞれ突設され底板から離れる向きの光源ユニットのケースの移動を阻止する保持片とを有し、一対の側板および保持片が底板の延長方向に延長されていることを特徴とする請求項１記載の光源保持部材。
【請求項３】
前記光源ユニットが前記発光素子からの光を出射させる出射窓を一対の前記側板の間から露出させる向きに装着され、前記側板は、前記底板の厚み方向における両面にそれぞれ立設されていることを特徴とする請求項２記載の光源保持部材。
【請求項４】
前記光源ユニットが前記発光素子からの光を出射させる出射窓を一対の前記側板の間から露出させる向きに装着され、光源ユニットの出射窓を覆う形で配置される光制御板を取付可能であって、光制御板の対向する側縁部が挿入される取付溝が両側板において互いに対向する面にそれぞれ形成されていることを特徴とする請求項２または請求項３に記載の光源保持部材。
【請求項５】
前記底板は、前記光源ユニットの前記ケースと当接する部位に、光源ユニットで発生する熱を放熱する放熱板を有することを特徴とする請求項２ないし請求項４のいずれか１項に記載の光源保持部材。
【請求項６】
前記側板において前記光源ユニットの前記ケースの側面と対向する部位に、光源ユニットにおけるケースの当該側面に設けられた接触端子と接触することにより光源ユニットと電気的に接続される配線レールが前記底板の延長方向に沿って敷設されていることを特徴とする請求項２ないし請求項５のいずれか１項に記載の光源保持部材。
【請求項７】
請求項１ないし請求項６のいずれか１項に記載の光源保持部材と、当該光源保持部材に装着される複数個の光源ユニットとを備えることを特徴とする照明器具。
【発明の詳細な説明】
【技術分野】
【０００１】
本発明は、発光素子をケースに設けて成る光源ユニットを複数個列設する形で装着可能な光源保持部材、照明器具に関するものである。
【背景技術】
【０００２】
近年では、従来から普及している白熱電球やネオン管などの光源に代えて、低電力、長寿命な発光ダイオードが光源として用いられる機会が増えてきている。１個の発光ダイオードは一般的に点光源であるから、ネオン管などの線光源の代わりに発光ダイオードを用いる場合には、複数個の発光ダイオードを列設した形で用いることがある。
【０００３】
このように複数個の発光ダイオードを列設した照明器具としては、筒状に形成された筐体内に設けた基板上に、発光ダイオードが複数個列設された構成を有するものが考えられている（たとえば特許文献１参照）。
【特許文献１】特開２００５−１９２９９号公報（第３頁）
【発明の開示】
【発明が解決しようとする課題】
【０００４】
しかし、特許文献１に記載の照明器具では、複数個の発光ダイオード全体で形成された光源の形状は、複数個の発光ダイオードが基板上にどのように配置されているかによってあらかじめ決まっており、他の形状に変更することはできない。
【０００５】
本発明は上記事由に鑑みて為されたものであって、複数個の発光素子全体で形成された光源の形状を変更することができる光源保持部材、照明器具を提供することを目的とする。
【課題を解決するための手段】
【０００６】
請求項１の発明は、発光素子をケースに設けて成る光源ユニットを複数個列設する形で装着可能な光源保持部材であって、各光源ユニットをそれぞれ着脱可能とするように光源ユニットのケースと嵌合する形状に形成され、かつ複数個の光源ユニットからなる列を湾曲させるように変形可能な材料から形成されていることを特徴とする。
【０００７】
ここでいう変形可能な材料とは、弾性を有するＥＰＴゴムやシリコンゴムなどの材料のほか、合成樹脂や金属が可撓性を有する程度に薄肉に形成されたものなども含む。また、発光素子には発光ダイオードのほか有機ＥＬなども含む。請求項１の構成によれば、光源保持部材が複数個の光源ユニットからなる列を湾曲させるように変形可能であるから、複数個の発光素子全体で形成された光源の形状を変更することができる。また、各光源ユニットをそれぞれ着脱可能であって、一部の光源ユニットのみを交換することもできるので、一部の光源ユニットの発光色の変更なども容易に行うことができる。しかも、光源保持部材が光源ユニットのケースと嵌合する形状に形成されているから、光源ユニットを装着するためにねじ等の他の固定部材を用いる必要がなく、光源ユニットの装着が容易になるという利点がある。
【０００８】
請求項２の発明は、請求項１の発明において、前記光源ユニットの配列方向に延長された底板と、底板の幅方向の両端部から互いに対向する形で立設され互いの間に前記光源ユニットの前記ケースを挟持する一対の側板と、両側板において互いに対向する面にそれぞれ突設され底板から離れる向きの光源ユニットのケースの移動を阻止する保持片とを有し、一対の側板および保持片が底板の延長方向に延長されていることを特徴とする。
【０００９】
この構成によれば、一対の側板および保持片が底板の延長方向に延長されているから、各光源ユニットを装着する位置は底板の延長方向に沿ってそれぞれ変更可能であって、底板の延長方向に隣接する光源ユニット間のピッチや装着する光源ユニットの個数を変更することができる。
【００１０】
請求項３の発明は、請求項２の発明において、前記光源ユニットが前記発光素子からの光を出射させる出射窓を一対の前記側板の間から露出させる向きに装着され、前記側板が、前記底板の厚み方向における両面にそれぞれ立設されていることを特徴とする。
【００１１】
この構成によれば、底板の厚み方向の両面側に光源ユニットを装着可能になり、底板の厚み方向の両面側から光源ユニットの光を取り出すことができる。
【００１２】
請求項４の発明は、請求項２または請求項３の発明において、前記光源ユニットが前記発光素子からの光を出射させる出射窓を一対の前記側板の間から露出させる向きに装着され、光源ユニットの出射窓を覆う形で配置される光制御板を取付可能であって、光制御板の対向する側縁部が挿入される取付溝が両側板において互いに対向する面にそれぞれ形成されていることを特徴とする。
【００１３】
この構成によれば、光源保持部材に対して別部材を用いることなく光制御板を容易に取り付けることができる。しかも、光制御板の側縁部が取付溝に挿入されるから、光制御板と側板との間に隙間が生じることはなく、光制御板と側板との間から光源ユニットの光が漏光することはない。
【００１４】
請求項５の発明は、請求項２ないし請求項４の発明において、前記底板が、前記光源ユニットの前記ケースと当接する部位に、光源ユニットで発生する熱を放熱する放熱板を有することを特徴とする。
【００１５】
この構成によれば、光源ユニットで発生する熱が放熱板により放熱されるから、光源ユニットの温度上昇を抑制することができる。
【００１６】
請求項６の発明は、請求項２ないし請求項５の発明において、前記側板において前記光源ユニットの前記ケースの側面と対向する部位に、光源ユニットにおけるケースの当該側面に設けられた接触端子と接触することにより光源ユニットと電気的に接続される配線レールが前記底板の延長方向に沿って敷設されていることを特徴とする。
【００１７】
この構成によれば、底板の延長方向に隣接する光源ユニット同士を、電線を用いることなく配線レールにより電気的に接続することができる。
【００１８】
請求項７の発明は、請求項１ないし請求項６のいずれかの光源保持部材と、当該光源保持部材に装着される複数個の光源ユニットとを備えることを特徴とする。
【発明の効果】
【００１９】
本発明は、光源保持部材が複数個の光源ユニットからなる列を湾曲させるように変形可能であるから、複数個の発光素子全体で形成された光源の形状を変更することができる。また、各光源ユニットをそれぞれ着脱可能であって、一部の光源ユニットのみを交換することもできるので、一部の光源ユニットの発光色の変更なども容易に行うことができる。しかも、光源保持部材が光源ユニットのケースと嵌合する形状に形成されているから、光源ユニットを装着するためにねじ等の他の固定部材を用いる必要がなく、光源ユニットの装着が容易になるという利点がある。
【発明を実施するための最良の形態】
【００２０】
（実施形態１）
本実施形態の光源保持部材１は、図１に示すように、複数個の光源ユニットＡ１〜Ａ８を１列に列設する形で装着可能に構成されたものである。まず、光源ユニットＡ１〜Ａ８の構成および接続関係について簡単に説明する。
【００２１】
各光源ユニットＡ１〜Ａ８はそれぞれ、発光素子としての発光ダイオードのチップが実装された回路基板（図示せず）を直方体状のケース３内にモールドしたものであって、ケース３の前面に発光ダイオードからの光を取り出す出射窓４が形成されている。回路基板には発光ダイオードのアノード側、カソード側のそれぞれに対応する２本の電線５が接続されており、これらの電線５は、ケース３における一方向（図１（ｂ）の左右方向）の両側面からそれぞれ引き出されている。ケース３の両側面において電線５が引き出される部位の周囲には電線５の基端部を覆う突起２が突設される。
【００２２】
複数個（ここでは８個）の光源ユニットＡ１〜Ａ８は、電源（図示せず）に接続された定電流ユニットＢの出力端間に直列に接続される。定電流ユニットＢは出力端間に流す電流を一定に制御する機能を有し、これにより各光源ユニットＡ１〜Ａ８にはそれぞれ定電流が供給されることになる。ここで、光源保持部材１に装着された際に隣り合う光源ユニットＡ１〜Ａ８間の接続、あるいは定電流ユニットＢと光源ユニットＡ１との間の接続については、各々から引き出された電線５同士を接続するようにしてもよく、各々をそれぞれ１本の電線５で接続するようにしてもよい。本実施形態では、定電流ユニットＢが前後寸法（図１（ａ）の左右方向の寸法）および幅寸法（図１（ｂ）の上下方向の寸法）に関して各光源ユニットＡ１〜Ａ８と同じ寸法に形成されることにより、定電流ユニットＢも光源ユニットＡ１〜Ａ８と共に光源保持部材１に装着される。
【００２３】
次に、光源保持部材１の構成について説明する。
【００２４】
光源保持部材１はＥＰＴゴムやシリコンゴムなどの弾性を有する材料から形成されており、図１に示すように、複数個の光源ユニットＡ１〜Ａ８の配列方向（図１（ｂ）の左右方向）に延長され、延長方向に直交する断面がコ字状となるように形成される。具体的に説明すると、光源保持部材１は複数個の光源ユニットＡ１〜Ａ８の配列方向に延長された帯状の底板６と、底板６の幅方向の両側縁からそれぞれ立設されることにより互いに対向する一対の側板７と、両側板７において互いに対向する面であって光源ユニットＡ１〜Ａ８におけるケース３の前後寸法の分だけ底板６から離れた位置にそれぞれ突設された保持片８とを有する。各側板７および保持片８はそれぞれ底板６の延長方向の全長にわたって形成されており、両側板７の間隔は各光源ユニットＡ１〜Ａ８のケース３の幅寸法と同程度に設定される。各保持片８はそれぞれ、先端側ほど幅寸法が小さくなるように延長方向に直交する断面が三角形状に形成されている。
【００２５】
この構成によれば、光源保持部材１は、底板６と一対の側板７とで囲まれ、かつ保持片８よりも底板６寄りの位置に、光源ユニットＡ１〜Ａ８を収納可能な空間（以下では「ユニット収納空間」という）を有することになる。各光源ユニットＡ１〜Ａ８はそれぞれ出射窓４を一対の側板７の間から前方に露出させる向きに装着されるので、光源保持部材１は、光源ユニットＡ１〜Ａ８を装着した状態で、光源ユニットＡ１〜Ａ８のケース３の後面を底板６に当接させた形で光源ユニットＡ１〜Ａ８のケース３を一対の側板７の間に挟持し、かつ保持片８によって底板６から離れる向きの光源ユニットＡ１〜Ａ８のケース３の移動を阻止する形になる。ここにおいて、光源保持部材１に弾性を有する材料を用いたことによって、保持片８を乗り越えて光源ユニットＡ１〜Ａ８を底板６の厚み方向に移動させることにより光源保持部材１に対して光源ユニットＡ１〜Ａ８を着脱可能であって、一部の光源ユニットＡ１〜Ａ８のみを交換することもできるので、たとえば一部の光源ユニットＡ１〜Ａ８の発光色を容易に変更することができる。しかも、光源保持部材１には光源ユニットＡ１〜Ａ８のケース３と嵌合する構成を採用しているから、ねじ等の他の固定部材を用いて各光源ユニットＡ１〜Ａ８を個別に固定する必要はない。
【００２６】
ここで、各側板７および保持片８はいずれも底板６の延長方向の全長にわたって形成されているから、光源ユニットＡ１〜Ａ８は底板６の延長方向において任意の位置に装着可能であって、隣接する光源ユニットＡ１〜Ａ８間のピッチや装着する光源ユニットＡ１〜Ａ８の個数を変更することができる。したがって、複数個の光源ユニットＡ１〜Ａ８全体で直線状の線光源を形成するほかに、たとえば各光源ユニットＡ１〜Ａ８のそれぞれで点光源を形成することができる。しかも、光源保持部材１は、弾性を有する材料から形成されているので、複数個の光源ユニットＡ１〜Ａ８からなる列を湾曲させるように変形可能であって、複数個の光源ユニットＡ１〜Ａ８全体で曲線状の線光源を形成することもできる。本実施形態では、光源保持部材１は底板６の板面に沿って湾曲するように変形可能であって、複数個の光源ユニットＡ１〜Ａ８全体で形成された光源において光源ユニットＡ１〜Ａ８の出射窓４の正面側から見た形状を変更することができる。ただし、光源保持部材１は、弾性を有することは必須ではなく変形可能であればよい。
【００２７】
また、本実施形態では光源保持部材１の材料としてＥＰＴゴムやシリコンゴムなどを採用しているから、はさみ等を用いて光源保持部材１を延長方向に直交する切断面で切断することにより光源保持部材１の長さを容易に変更することもできる。さらに、きり等を用いれば光源保持部材１の任意の位置に容易に孔を穿設することができるから、光源保持部材１を照明器具の器体や建造物の一部などの取付対象に固定ねじを用いて取り付ける際には、取付対象のねじ孔の位置に合わせて固定ねじ用の孔を設けることができ、取り付けの自由度が高くなる。あるいは、木ねじやタッピンねじを用いれば、光源保持部材１にあらかじめ孔を空ける作業が不要になるから、施工時間の短縮も期待できる。両面テープや接着剤を用いて光源保持部材１を取付対象に取り付けるようにしてもよい。
【００２８】
ところで、複数個の光源ユニットＡ１〜Ａ８は上述したように定電流ユニットＢの出力端間で直列回路を形成するから、隣接する光源ユニットＡ１〜Ａ８同士、および複数個の光源ユニットＡ１〜Ａ８からなる直列回路と定電流ユニットＢとの間を接続する電線５を引き回す必要がある。ここで、各光源ユニットＡ１〜Ａ８はそれぞれ底板６の延長方向に沿って電線５が引き出されるように、電線５が引き出された両側面を底板６の延長方向に交わらせる向きで光源保持部材１に装着される。これにより、隣接する光源ユニットＡ１〜Ａ８間においては、ケース３における電線５が引き出された側面同士が対向することになるから、ユニット収納空間を通して電線５を引き回すだけで隣接する光源ユニットＡ１〜Ａ８同士を接続することができる。
【００２９】
一方、底板６の延長方向の両端に位置する２個の光源ユニットＡ１，Ａ８はそれぞれ定電流ユニットＢの出力端に接続されるが、底板６の延長方向において定電流ユニットＢから最も遠い光源ユニットＡ８は定電流ユニットＢとの間に複数個の光源ユニットＡ１〜Ａ７が介在するからユニット収納空間を通して定電流ユニットＢとの間に電線５を引き回すことはできない。そこで、本実施形態では、一方（図１（ａ）では下側）の側板７における他方の側板７との対向面に、この電線５を保持する電線保持溝９を形成してある。電線保持溝９は、保持片８よりも底板６から離れた位置に、底板６の延長方向の全長にわたって形成されており、延長方向に直交する断面が開口側ほど狭くなる形状に形成されている。この電線保持溝９を設けたことにより、光源ユニットＡ８と定電流ユニットＢとを接続する電線５を電線保持溝９に嵌合させるだけで保持することができ、電線５の引き回しが容易になるという利点がある。
【００３０】
なお、本実施形態では１個の光源保持部材１に装着可能な光源ユニットとして８個の光源ユニットＡ１〜Ａ８を例示しているが、１個の光源保持部材１に装着可能な光源ユニットの個数は８個に限定されるものではない。また、発光素子は発光ダイオードに限るものではない。
【００３１】
（実施形態２）
本実施形態の光源保持部材１は、図２に示すように、両側板７における底板６寄りの部分に、互いに他方の側板７との間隔を広げるように凹設された電線収納凹所１０がそれぞれ形成されている点が実施形態１の光源保持部材１と相違する。電線収納凹所１０は、底板６の延長方向の全長にわたって形成されている。
【００３２】
この構成によれば、光源ユニットＡ１〜Ａ８を実施形態１で説明した向きとは異なる向きで装着することが可能になる。すなわち、光源ユニットＡ１〜Ａ８におけるケース３の側面に突設された突起２およびケース３から引き出された電線５を電線収納凹所１０内に収納することによって、光源ユニットＡ１〜Ａ８のケース３における電線５が引き出された各側面を光源保持部材１の各側板７にそれぞれ対向させる形で光源ユニットＡ１〜Ａ８を装着することができる。このように光源ユニットＡ１〜Ａ８を装着した場合には、隣接する光源ユニットＡ１〜Ａ８間を接続する電線５は電線収納凹所１０内を引き回されることになる。これにより、複数個の光源ユニットＡ１〜Ａ８を底板６の延長方向において隙間なく列設することが可能になり、隣接する光源ユニットＡ１〜Ａ８間のピッチを最小とすることができる。ここで、複数個の光源ユニットＡ１〜Ａ８は、定電流ユニットＢの出力端間で直列回路を形成するように、底板６の板面に沿って底板６の幅方向に蛇行する形に配線されることになる。なお、底板６の延長方向において定電流ユニットＢから最も遠い光源ユニットＡ８と定電流ユニットＢとを接続する電線５に関しては実施形態１と同様に電線保持溝９により保持する。その他の構成および機能は実施形態１と同様である。
【００３３】
（実施形態３）
本実施形態の光源保持部材１は、図３に示すように、底板６の厚み方向の両面に側板７を立設している点が実施形態１の光源保持部材１とは相違する。すなわち、図３に示す光源保持部材１は、底板６の厚み方向の両面側にそれぞれ光源ユニットＡ１〜Ａ８を装着可能であって、底板６の厚み方向の両面側から光を取り出すことができる。その他の構成および機能は実施形態１と同様である。
【００３４】
（実施形態４）
本実施形態の光源保持部材１は、図４に示すように、光源ユニットＡ１〜Ａ８の出射窓４を覆う形で光源ユニットＡ１〜Ａ８の前方に配置される光制御板Ｃを取付可能とした点が実施形態１の光源保持部材１とは相違する。ここでいう光制御板Ｃは、光源ユニットＡ１〜Ａ８の出射窓４から出射された光について光量や色や配光などを制御するものであって、たとえばアクリル樹脂から形成された乳白アクリル板（透光性を有する乳白色）、透明アクリル板、カラーアクリル板（透光性を有する各色）、プリズムパネル、ハニカムルーバなどから選択される。
【００３５】
本実施形態では、光制御板Ｃを取付可能とするための構成として、両側板７において互いに対向する面に、光制御板Ｃの対向する側縁部が挿入される取付溝１１が形成されている。このように、光制御板Ｃの側縁部を側板７に挿入する構成を採用することにより、光源ユニットＡ１〜Ａ８からの光が光制御板Ｃと側板７との隙間を通して漏光することがないという利点がある。その他の構成および機能は実施形態１と同様である。
【００３６】
（実施形態５）
本実施形態の光源保持部材１は、図５に示すように、底板６が、光源ユニットＡ１〜Ａ８のケース３の後面と当接する部位に、アルミニウム製の放熱板１２を有している点が実施形態１の光源保持部材１と相違する。
【００３７】
この構成によれば、光源ユニットＡ１〜Ａ８で発生する熱を放熱板１２によって放熱することができる。図５に示す放熱板１２においては光源ユニットＡ１〜Ａ８のケース３の後面に対向する面に複数本の溝１３を設けてフィン状とすることにより放熱効率を高めている。その他の構成および機能は実施形態１と同様である。
【００３８】
（実施形態６）
光源ユニットＡ１〜Ａ８としては、回路基板に接続された電線５の代わりに回路基板に接続された接触端子１４（図６参照）をケース３の側面に設けた種類のものがあり、この種の光源ユニットＡ１〜Ａ８を採用すれば上述したような電線５を用いた配線を不要とすることもできる。本実施形態の光源保持部材１は、この種の光源ユニットＡ１〜Ａ８を装着可能とした点が実施形態２の光源保持部材１と相違する。
【００３９】
具体的に説明すると、図６に示すように、光源ユニットＡ１〜Ａ８のケース３における接触端子１４を設けた側面と対向する部位（ここでは電線収納凹所１０の底面）に銅板からなる配線レール１５を底板６の延長方向に沿って敷設し、この配線レール１５に接触端子１４を接触させることによって配線レール１５を介して隣接する光源ユニットＡ１〜Ａ８同士を電気的に接続する。すなわち、接触端子１４と配線レール１５とが実施形態２で説明した電線５の代わりになる。さらに、配線レール１５を底板６の長手方向の全長にわたって形成しておけば、両配線レール１５の間に複数個の光源ユニットＡ１〜Ａ８からなる並列回路を形成することもできる。その他の構成および機能は実施形態２と同様である。
【００４０】
なお、上述した各実施形態１〜６の光源保持部材１を、ケース３の寸法を一律とした光源ユニットＡ１〜Ａ８に対応するようにそれぞれ形成する場合の光源保持部材１の寸法関係の一例を以下に示す。すなわち、実施形態１（図１）を前後寸法Ｌ１＝１８ｍｍ、幅寸法Ｌ２＝２８ｍｍとした場合に、実施形態２（図２）では前後寸法Ｌ１＝１８ｍｍ、幅寸法Ｌ２＝４０ｍｍ、実施形態３（図３）では前後寸法Ｌ１＝３３ｍｍ、幅寸法Ｌ２＝２８ｍｍ、実施形態４（図４）では前後寸法Ｌ１＝２２ｍｍ、幅寸法Ｌ２＝３０ｍｍ、実施形態５（図５）では前後寸法Ｌ１＝２２ｍｍ、幅寸法Ｌ２＝３０ｍｍ、実施形態６（図６）では前後寸法Ｌ１＝１８ｍｍ、幅寸法Ｌ２＝４０ｍｍになる。
【００４１】
また、以下に示す各実施形態では上述した各実施形態に示した光源保持部材１を用いた照明器具を例示する。
【００４２】
（実施形態７）
本実施形態で用いる光源保持部１は、実施形態２に示した構成（図２参照）に、実施形態４で説明した光制御板Ｃを取付可能な構成としての取付溝１１（図４参照）を付加し、さらに、図７に示すように、両側板７の先端部から互いに離れる向きにそれぞれ延出された支持片１６を備えるものである。
【００４３】
本実施形態の照明器具は、上述した光源保持部材１に複数個の光源ユニットＡ１〜Ａ８および定電流ユニットＢと光制御板Ｃとを装着することにより器具本体１７を構成し、当該器具本体１７をＣ型鋼からなる器体１８に収納することにより構成される。器体１８としてのＣ型鋼は周知のように延長方向に直交する断面が前方に開放された矩形状に形成されており、器具本体１７は、底板６の後面（図７の左端面）を器体１８の後壁の前面に当接させるとともに、両支持片１６の先端部を器体１８の前壁と側壁との間の角部に当接させることにより器体１８内に支持される。ここで、器具本体１７は、器体１８の延長方向における一方の端面から器体１８内に挿入される。
【００４４】
ところで、本実施形態の器具本体１７を構成する光源保持部材１は実施形態１において説明したように、複数個の光源ユニットＡ１〜Ａ８からなる列を湾曲させるように変形可能であるから、器体１８に収納される際に器体１８の形状に合わせて変形することになる。すなわち、本実施形態の器具本体１７は湾曲した形状に形成された器体１８に対しても収納可能であって、器体１８の形状を変更することにより照明器具全体の形状を変更することが可能である。
【００４５】
なお、本実施形態では、器体１８の幅寸法Ｌ３＝６０ｍｍ、光源保持部材１における両支持片１６の基端部間の間隔Ｌ４＝３０ｍｍに設定してある。また、光源保持部材１としては、実施形態１に示したものを用いてもよく、実施形態５，６に示した各構成を付加したものを用いてもよい。
【００４６】
（実施形態８）
本実施形態の照明器具は、図８に示すように、複数個の光源ユニットＡ１〜Ａ８を定電流ユニットＢの出力端間に直列に接続し当該複数個の光源ユニットＡ１〜Ａ８を実施形態１の光源保持部材１に装着することにより器具本体１７を構成し、当該器具本体１７を箱状に形成された器体１８内に収納することにより構成される。図８に示す器体１８は、前面に矩形状の開口窓１９が形成されたボディ２０と、ボディ２０の開口窓１９を塞ぐアクリルパネル２１とで構成されており、光源ユニットＡ１〜Ａ８からの光はこのアクリルパネル２１を通して出射される。光源保持部材１は器体１８の後壁の前面に対して底板６の延長方向を揃えて複数個取り付けらており、隣接する光源保持部材１の間に定電流ユニットＢがそれぞれ配置される。光源保持部材１の取り付けには、実施形態１で説明したように、ねじ（木ねじ、タッピンねじを含む）を用いたり、両面テープや接着剤を用いることができる。
【００４７】
本実施形態では、器体１８の開口窓１９を矩形状に形成し、かつ、アクリルパネル２１の略全面から均一な光を出射させるように、隣接する光源ユニットＡ１〜Ａ８間のピッチをアクリルパネル２１の板面に沿う面内において縦方向（図８（ａ）の上下方向）と横方向（図８（ａ）の左右方向）とで同等にしてある。すなわち、各光源保持部材１に装着された複数個の光源ユニットＡ１〜Ａ８のうちの隣接する光源ユニットＡ１〜Ａ８間のピッチと、隣接する光源保持部材１間のピッチとを同等にしてある。ただし、器体１８の開口窓１９あるいは器体１８の全体形状を平面視で円形状や文字型に形成してもよく、また、器体１８内における光源保持部材１の配置や、各光源保持部材１に装着された複数個の光源ユニットＡ１〜Ａ８のうちの隣接する光源ユニットＡ１〜Ａ８間のピッチ等についても適宜変更することができる。各器具本体１７において複数個の光源ユニットＡ１〜Ａ８からなる列を湾曲させるように光源保持部材１を変形させてもよい。
【００４８】
さらに、図示しないがボディ２０の前後両面に開口窓１９が形成された器体１８を用いる場合には、器具本体１７の光源保持部材１として実施形態３で示した構成（図３参照）を採用し、底板６の厚み方向の両面側にそれぞれ光源ユニットＡ１〜Ａ８を複数個ずつ装着することにより、器体１８における両方の開口窓１９から光を出射させるようにしてもよい。
【００４９】
なお、光源保持部材１としては、実施形態２，５，６に示した各構成を付加したものとしてもよい。また、アクリルパネル２１に、実施形態４において説明した光制御板Ｃとしての機能を付与してもよい。
【図面の簡単な説明】
【００５０】
【図１】本発明の実施形態１の構成を示し、（ａ）は断面図、（ｂ）は正面図である。
【図２】本発明の実施形態２の構成を示し、（ａ）は断面図、（ｂ）は正面図である。
【図３】本発明の実施形態３の構成を示す断面図である。
【図４】本発明の実施形態４の構成を示す断面図である。
【図５】本発明の実施形態５の構成を示す断面図である。
【図６】本発明の実施形態６の構成を示す断面図である。
【図７】本発明の実施形態７の構成を示す断面図である。
【図８】本発明の実施形態８の構成の要部を示し、（ａ）は正面図、（ｂ）は断面図である。
【符号の説明】
【００５１】
１  光源保持部材
３  ケース
４  出射窓
５  電線
６  底板
７  側板
８  保持片
１１  取付溝
１２  放熱板
１４  接触端子
１５  配線レール
Ａ１〜Ａ８  光源ユニット
Ｃ  光制御板
【図１】
2007048665.tif 000003
【図２】
2007048665.tif 000004
【図３】
2007048665.tif 000005
【図４】
2007048665.tif 000006
【図５】
2007048665.tif 000007
【図６】
2007048665.tif 000008
【図７】
2007048665.tif 000009
【図８】
2007048665.tif 000010